(57)【特許請求の範囲】
【請求項１】
複数の信号源と、
前記信号源が出力する電圧毎に異なる直流電圧を重畳して出力する電圧重畳部と、
前記電圧重畳部から出力される電圧を制御信号に基づき順次切替える切替え部と、
前記制御信号を生成する制御部と、
前記切替え部から順次出力されるそれぞれの電圧を搬送波で変調して前記信号源が示すデータを電波に変換して無線送信する高周波回路部と、
を備えたことを特徴とする無線データ伝送装置。
【請求項２】
前記高周波回路部は、
位相をシフトした前記信号源のそれぞれに振幅変調回路を設け、前記振幅変調回路のそれぞれに、前記信号源が出力するそれぞれの電圧を入力して無線送信することを特徴とする請求項１記載の無線データ伝送装置。
【請求項３】
前記高周波回路部は、受信した電波を復調する受信回路を備え、
前記制御部は、
前記受信した電波の電界強度を測定し、あらかじめ定義された前記電界強度と前記信号源が出力する電圧との関係から前記信号源が示すデータを解読することを特徴とする請求項１記載の無線データ伝送装置。
【請求項４】
前記高周波回路部は、受信した電波を復調する復調回路を備え、
前記制御部は、
受信可能な電波の周波数をサーチし、あらかじめ定義された前記周波数と前記信号源が出力する電圧との関係から前記信号源が示すデータを解読することを特徴とする請求項１記載の無線データ伝送装置。
【請求項５】
前記信号源はセンサであり、前記信号源が示すデータはセンサ値であることを特徴とする請求項１〜４のいずれか１項記載の無線データ伝送装置。
【発明の詳細な説明】
【技術分野】
【０００１】
本発明は、特に、多種のセンサデータを無線伝送する用途に用いて好適な、無線データ伝送装置に関する。
【背景技術】
【０００２】
例えば、特許文献１に、多種のセンサデータを無線伝送する通信システムの技術が紹介されている。特許文献１には、複数センサから同時に情報が送信された場合に受信側で全ての情報を確実に受信でき、かつ、センサの消費電力を抑制する技術が開示されている。
【０００３】
図９に複数のセンサ情報を無線伝送する無線データ伝送装置１００Ａ，１００Ｂの一般的な構成を示す。図９（ａ）に示すように、デジタル出力のセンサ１０ａを用いる無線データ伝送装置１００Ａの場合、マイコン２０ａは、センサ値をそのままデジタルデータとして電文に載せて無線パケットを生成し、高周波回路部で変調して無線送信する。また、図９（ｂ）に示すように、アナログ出力のセンサ１０ｂを用いる無線データ伝送装置１００Ｂの場合、マイコン２０ｂは、センサの出力電圧値をＡＤ（Analog／Digital）コンバータを介してデジタル値に変換した後、電文に載せて無線パケットを生成し、高周波回路部で変調して無線送信する。そして、いずれも送信された無線パケットは図示省略した受信機で受信され、電文上のデータからセンサの状態が解析される。
【先行技術文献】
【特許文献】
【０００４】
【特許文献１】特開２００５−５１５５７号公報
【発明の概要】
【発明が解決しようとする課題】
【０００５】
ところで、図９（ａ）（ｂ）に示す構成によれば、いずれも電文を構成する必要があるため、センサデータを無線に載せるための操作を行うマイコン２０ａ，２０ｂが必要になる。マイコン２０ａ，２０ｂは、センサと１０ａ，１０ｂとの接続のために、通常、シリアルインタフェースを用いることが多い。
【０００６】
つまり、マイコン２０ａ，２０ｂは、図９（ａ）に示すデジタル出力センサであればセンサ１０ａとマイコン２０ａの間、およびマイコン２０ａと高周波回路部３０ａとの間を接続する複数のシリアルインタフェースが必要である。一方、図９（ｂ）に示すように、アナログ出力センサであれば、センサ１０ｂとマイコン２０ｂとの間にＡＤコンバータを必要とし、また、マイコン２０ｂと高周波回路部３０ｂとの間にシリアルインタフェースが必要になる。このため、ソフトウエアによる制御のスキルが必要であり、また、これらハードウエア（シリアルインタフェースＬＳＩ，ＡＤコンバータ）を要するマイコン２０ａ，２０ｂという観点からコストアップにつながるといった課題を有している。なお、デジタル出力センサ１０ａは、通常、アナログ出力センサ１０ｂより高価である。
【０００７】
本発明は上記した課題を解決するためになされたものであり、センサを含む、複数の信号源が示すデータの伝送を、安価で、簡単な回路構成で、かつ容易に実現可能な、無線データ伝送装置を提供する。
【課題を解決するための手段】
【０００８】
上記した課題を解決するために本発明の無線データ伝送装置は、複数の信号源と、前記信号源が出力する電圧毎に異なる直流電圧を重畳して出力する電圧重畳部と、前記電圧重畳部から出力される電圧を制御信号に基づき順次切替える切替え部と、前記制御信号を生成する制御部と、前記切替え部から順次出力されるそれぞれの電圧を搬送波で変調して前記信号源が示すデータを電波に変換して無線送信する高周波回路部と、を備えたことを特徴とする。
【０００９】
本発明において、前記高周波回路部は、位相をシフトした前記信号源のそれぞれに振幅変調回路を設け、前記振幅変調回路のそれぞれに、前記信号源が出力するそれぞれの電圧を入力して無線送信することを特徴とする。
【００１０】
本発明において、前記高周波回路部は、受信した電波を復調する受信回路を備え、前記制御部は、前記受信した電波の電界強度を測定し、あらかじめ定義された前記電界強度と前記信号源が出力する電圧との関係から前記信号源が示すデータを解読することを特徴とする。
【００１１】
本発明において、前記高周波回路部は、受信した電波を復調する復調回路を備え、前記制御部は、受信可能な電波の周波数をサーチし、あらかじめ定義された前記周波数と前記信号源が出力する電圧との関係から前記信号源が示すデータを解読することを特徴とする。
【００１２】
本発明において、前記信号源はセンサであり、前記信号源が示すデータはセンサ値であることを特徴とする。
【発明の効果】
【００１３】
本発明によれば、センサを含む、複数の信号源が示すデータの伝送を、安価で、簡単な回路構成で、かつ容易に実現可能な、無線データ伝送装置を提供する。
【図面の簡単な説明】
【００１４】
【図１】本発明の実施の形態に係る無線データ伝送装置の構成を示すブロック図である。
【図２】発明の実施の形態に係る無線データ伝送装置により重畳される電圧とセンサ値との関係を示す図である。
【図３】実施例１の構成を示すブロック図である。
【図４】実施例１の送受信動作を示すフローチャートである。
【図５】実施例２の構成を示すブロック図である。
【図６】実施例２の送受信動作を示すフローチャートである。
【図７】実施例２で使用されるテーブルのデータ構造の一例を示す図である。
【図８】変形例の構成を示すブロック図である。
【図９】従来の無線データ伝送装置の構成を示すブロック図である。
【発明を実施するための形態】
【００１５】
以下、添付図面を参照して、本発明を実施するための形態（以下、単に、実施形態という）について詳細に説明する。なお、実施形態の説明の全体を通して同じ要素には同じ番号または符号を付している。
【００１６】
（実施形態の構成）
図１に示すように、本実施形態に係る無線データ伝送装置１は、複数の信号源＃１〜＃３（１１，１２，１３）と、電圧重畳部１４と、切替え部１５と、制御部１６と、高周波回路部１７と、により構成される。
【００１７】
信号源＃１〜＃３（１１，１２，１３）は、電圧を出力する、例えば、センサである。電圧重畳部１４は、信号源＃１〜＃３（１１，１２，１３）がそれぞれ出力する電圧毎に異なる直流電圧を重畳して切替え部１５に出力する。電圧重畳部１４（信号源＃１〜＃３（１１，１２，１３））が出力する電圧値とその電圧値が示すデータとの関係が図２に示されている。
【００１８】
図２は、横軸に時間軸を目盛り、縦軸に、周波数（あるいは図示省略した電界強度）と電圧重畳部１４が出力する電圧値とを目盛り、電圧重畳部１４が出力する電圧の範囲毎に信号源＃１〜＃３（１１，１２，１３）の出力レベルを割り当てて示した模式図である。すなわち、信号源＃１〜＃３（１１，１２，１３）の出力電圧に重畳される電圧値と、信号源＃１〜＃３（１１，１２，１３）のそれぞれが示すデータとの関係を示している。
【００１９】
図２の模式図から理解されるように、本実施形態に係る無線データ伝送装置１は、信号源＃１〜＃３（１１，１２，１３）がそれぞれ出力する電圧値毎に異なるＤＣ電圧を重畳して切替え部１５に印加することで、変調の種類によって周波数範囲（あるいは電界強度範囲）で示される信号源のデータ区分を明確にすることを実現する。
【００２０】
例えば、信号源＃１（１１）の出力は、電圧重畳部１４により信号源＃１（１１）の出力電圧にＤＣ１Ｖを重畳し、信号源＃２（１２）の出力は、電圧重畳部１４により信号源＃２（１２）の出力電圧にＤＣ３Ｖを重畳し、信号源＃３（１３）の出力は、電圧重畳部１４により信号源＃３（１３）の出力電圧にＤＣ５Ｖを重畳することで、信号源＃１〜＃３（１１，１２，１３）が示すデータを区分することができる。この場合、各信号源＃１〜＃３（１１，１２，１３）の出力電圧を０〜２Ｖの範囲に設定すれば電圧レベルが重なることはない。これにより、受信側で、例えば、信号源＃１（１１）は照度、信号源＃２（１２）は温度、信号源＃３（１３）は湿度を示すデータであると判定することができる。
【００２１】
したがって、受信側では受信周波数が４００〜４２０の範囲は照度、受信周波数が４２１〜４４０の範囲は「温度」、受信周波数が４４１〜４６０の範囲は「湿度」を示すという定義に基づき周波数を読み取り、その周波数から、各信号源＃１〜＃３（１１，１２，１３）の出力レベル（それぞれ、ｌｕｘ，℃，％）を換算する。なお、変調方式にＡＭ変調を使用する場合は、上記した周波数が電界強度に代る。
【００２２】
切替え部１５は、電圧重畳部１４から出力される電圧を制御部１６により生成される制御信号に基づき順次切替え、高周波回路部１７へ出力する。高周波回路部１７は、切替え部１５から順次出力されるそれぞれの電圧を搬送波で変調して信号源＃１〜＃３（１１，１２，１３）が示すデータを電波に変換してアンテナ経由で無線送信する。
【００２３】
なお、高周波回路部１７は、内部構成を図示省略したが、アンテナに信号を出力する送信回路と、アンテナからの信号を入力として得て復調する受信回路と、送信回路と受信回路のそれぞれに基準となる、例えば、２．４［ＧＨｚ］帯の信号を提供する周波数シンセサイザ回路とを含む。送信回路は、切替え部１５が順次出力する電圧重畳部１４の出力電圧を変調するための搬送波（例えば、２．４ＧＨｚ帯の信号）を生成し、パワーアンプによって十分な電力まで増幅してアンテナから電波として放射する。受信回路は、アンテナで捉えられた様々な強度の受信信号を入力とし、低雑音アンプで微少信号を増幅し、次に、ミキサにおいて、２．４［ＧＨｚ］の周波数から数ＭＨｚの中間周波数に変換する。中間周波数は、フィルタ回路に入力されて所望のチャンネルの信号のみ選択され、高ゲインアンプによって更に信号振幅を増幅し、復調によって電波に載せられたセンサアナログ情報を取り出す。なお、周波数シンセサイザ回路は、ＶＣＯ（電圧制御発振器：Voltage Controlled Oscillator）とＰＬＬ（位相同期ループ：Phase Locked Loop）と、を含む。
【００２４】
上記構成によれば、制御部１６は、切替え部１５による電圧重畳部１４の出力（信号源＃１〜＃３）を順次切替えるための制御信号を生成する、このため、制御部１６は、タイマ機能を持つだけで良く、したがって安価で容易に制御可能なマイコン、あるいはタイマ制御回路で実現が可能である。すなわち、そのマイコンは、信号源＃１〜＃３（１１，１２，１３）の出力値を定期的に切り替えるスイッチ制御のためにのみ使用し、信号源＃１〜＃３（１１，１２，１３）の出力電圧（アナログ出力）は、スイッチで構成される切替え部１５を介し、ＦＭ（Frequency Modulation）変調であれば、周波数シンセサイザ回路を構成するＶＣＯのコントロール端子に直接入力され、これにより、安価で制御も容易な簡単な回路構成で複数の信号源＃１〜＃３（１１，１２，１３）が示すデータを無線伝送することができる。
【００２５】
また、本実施形態に係る無線データ伝送装置１によれば、使用する変調方式により、信号源＃１〜＃３（１１，１２，１３）の出力電圧値と周波数、あるいは信号源＃１〜＃３（１１，１２，１３）の出力電圧値と受信電界強度との関係を予め定義していないとデータを解読できないため、データの秘匿性が得られる。詳細は実施例を用いて後述する。
【００２６】
以下、ＡＭ変調による無線データ伝送装置１Ａを実施例１とし、ＦＭ変調による無線データ伝送装置１Ｂを実施例２として、その送受信動作について詳細に説明する。
【００２７】
（実施例１）
図３に実施例１に係る無線データ伝送装置１Ａの構成を示す。図１によれば、無線データ伝送装置１Ａは、信号源としてのセンサ＃１〜＃３（１１ａ，１２ａ，１３ａ）と、電圧重畳部としての電圧重畳回路＃１〜＃３（１４ａ，１４ｂ，１４ｃ）と、切替え部としての多極スイッチ１５ａと、制御部としてのタイマ制御回路１６ａと、高周波回路部としてのＲＦ回路１７ａとを含み、構成されている。
【００２８】
センサ＃１〜＃３（１１ａ，１２ａ，１３ａ）は、例えば、照度、温度、あるいは湿度等のアナログ値を出力する、それぞれ、照度センサ、温度センサ、湿度センサである。電圧重畳回路＃１〜＃３（１４ａ，１４ｂ，１４ｃ）は、センサ＃１〜＃３（１１ａ，１２ａ，１３ｃ）が出力する電圧毎に異なる直流電圧を重畳して多極スイッチ１５ａに出力する。多極スイッチ１５ａは、電圧重畳回路＃１〜＃３（１４ａ，１４ｂ，１４ｃ）からそれぞれ出力される電圧をタイマ制御回路１６ａにより生成される制御信号に基づき順次切替え、ＲＦ回路１７ａへ出力する。ＲＦ回路１７ａは、切替え部１５から順次出力されるそれぞれの電圧を搬送波でＡＭ（Amplitude Modulation）変調してセンサ＃１〜＃３（１１ａ，１２ａ，１３ａ）がそれぞれ示すデータを電波に変換してアンテナ経由で無線送信する。
【００２９】
ＲＦ回路１７ａは、送信回路１７１とＶＣＯとＰＬＬで構成される周波数シンセサイザ回路１７２の他に、図示省略した受信回路部を含み構成される。多極スイッチ１５ａの出力は、送信回路１７１に接続される。なお、符号１８は、レギュレータであり、Ｖｉｎは入力電圧を、Ｖｒｅｇは、出力電圧を示す。
【００３０】
上記した実施例１の動作を図４のフローチャートを参照しながら説明する。図４（ａ）は無線データ送信動作を、図４（ｂ）は、無線データ受信動作を示す。
【００３１】
まず、図４（ａ）の無線データ送信動作から説明する。図４（ａ）において、まず、電圧重畳回路＃１〜＃３（１４ａ，１４ｂ，１４ｃ）のそれぞれに対し、レギュレータ１８から、センサ＃１〜＃３（１１ａ，１２ａ，１３ａ）毎に設定されたバイアス電圧が印加される（ステップＳ１１）。続いて、各センサ＃１〜＃３（１１ａ，１２ａ，１３ａ）から電圧値（センサ値）が出力されると（ステップＳ１２）、多極スイッチ１５ａは、電圧重畳回路＃１〜＃３（１４ａ，１４ｂ，１４ｃ）のそれぞれから出力される電圧をタイマ制御回路１６ａにより生成される制御信号に基づき順次切替え、ＲＦ回路１７ａに出力する。
【００３２】
データ送信にあたり（ステップＳ１３）、電圧重畳回路＃１〜＃３（１４ａ，１４ｂ，１４ｃ）でセンサ＃１〜＃３（１１ａ，１２ａ，１３ａ）毎に設定した電圧が重畳され（ステップＳ１４）、タイマ制御回路１６ａによる制御の下、取得するセンサの切替え制御が行われる（ステップＳ１５）。
【００３３】
なお、データ送信開始処理（ステップＳ１３）とデータ送信終了処理（ステップＳ１６）とで示されるループ（ステップＳ１４，Ｓ１５）は、センサ＃１〜＃３（１１ａ，１２ａ，１３ａ）の数だけ繰り返し実行される。
【００３４】
なお、ＲＦ回路１７ａは、タイマ制御回路１６ａによる制御の下で多極スイッチ１５ａから順次出力される電圧値に送信回路１７１でＡＭ変調を行い、アンテナ経由で無線送信する。ここでは、周波数シンセサイザ回路１７２により生成される搬送波が多極スイッチ１５ａから出力される電圧により振幅変調される。
【００３５】
次に、図４（ｂ）の受信動作について説明する。なお、ここで受信動作を行う受信機は、送信機として動作する、図３に示す無線データ伝送装置１Ａに接続される受信機であり、図３に示す、メモリ内蔵のマイコン１６ａと、ＲＦ回路１７ａとを少なくとも含み、構成される。図４（ｂ）において、マイコン１６ａは、まず、測定する電界強度と各センサ値の変換テーブルを設定する（ステップＳ２１）。続いて、データ受信を開始するが（ステップＳ２２）、ＲＦ回路１７ａは、アンテナで捕えた受信信号を周波数シンセサイザ回路１７２の局発信号と比較、復調しマイコン１６ａが解読するデータを引き渡す。マイコン１６ａは、ＲＦ回路１７ａが受信した電波の電界強度を測定し、測定された電界強度に基づき、設定された変換テーブルを参照する（ステップＳ２３）。そして、対応するセンサ値を取得してマイコン１６ａ内蔵のメモリに記憶して解読する（ステップＳ２４）。
【００３６】
なお、データ受信開始処理（ステップＳ２２）とデータ受信終了処理（ステップＳ２５）とで示されるループ（ステップＳ２３，Ｓ２４）は、センサ＃１〜＃３（１１ａ，１２ａ，１３ａ）の数だけ繰り返し実行される。
【００３７】
（実施例２）
図５に実施例２に係る無線データ伝送装置１Ｂの構成を示す。図３に示す実施例１との差異は、高周波回路部１７で実行される変調方式にあり、実施例１ではＡＭ変調を採用したのに対し、実施例２では、ＦＭ変調（Frequency Modulation）を採用している。
【００３８】
すなわち、以下に説明する実施例２では、ＲＦ回路１７ｂは、多極スイッチ１５ｂから順次出力されるそれぞれの電圧によりＦＭ変調してセンサ＃１〜＃３（１１ｂ，１２ｂ，１３ｂ）がそれぞれ示すデータを周波数に変換し、アンテナ経由で無線送信している。このため、多極スイッチ１５ｂの出力は、直接、ＲＦ回路１７ｂにおける周波数シンセサイザ回路１７４のＶＣＯコントロール端子に入力されている。他の構成は実施例１とである。
【００３９】
上記した実施例２の動作を図６のフローチャートを参照しながら説明する。図６（ａ）は無線データ送信動作を、図６（ｂ）は、無線データ受信動作を示す。
【００４０】
まず、図６（ａ）の無線データ送信動作から説明する。図６（ａ）において、まず、電圧重畳回路＃１〜＃３（１４ｄ，１４ｅ，１４ｆ）のそれぞれに対し、レギュレータ１８から、センサ＃１〜＃３（１１ｂ，１２ｂ，１３ｂ）毎に設定されたバイアス電圧が印加される（ステップＳ３１）。続いて、各センサ＃１〜＃３（１１ｂ，１２ｂ，１３ｂ）から電圧値（センサ値）が出力されると（ステップＳ３２）、多極スイッチ１５ｂは、電圧重畳回路＃１〜＃３（１４ｄ，１４ｅ，１４ｆ）のそれぞれから出力される電圧をタイマ制御回路１６ｂにより生成される制御信号に基づき順次切替え、ＲＦ回路１７ｂに出力する。
【００４１】
データ送信にあたり（ステップＳ３３）、電圧重畳回路＃１〜＃３（１４ｄ，１４ｅ，１４ｆ）でセンサ＃１〜＃３（１１ａ，１２ａ，１３ａ）毎に設定した電圧が重畳され（ステップＳ２４）、タイマ制御回路１６ｂによる制御の下、取得するセンサの切替え制御が行われる（ステップＳ３５）。
【００４２】
なお、データ送信開始処理（ステップＳ３３）とデータ送信終了処理（ステップＳ３６）とで示されるループ（ステップＳ３４，Ｓ３５）は、センサ＃１〜＃３（１１ｂ，１２ｂ，１３ｂ）の数だけ繰り返し実行される。
【００４３】
ＲＦ回路１７ｂは、タイマ制御回路１６ｂによる制御の下で多極スイッチ１５ｂから順次出力される電圧値により送信回路１７３でＦＭ変調を行なう。すなわち、周波数シンセサイザ回路１７４（ＶＣＯ）の制御電圧に多極スイッチ１５ｂの電圧出力を入力することでＦＭ変調波を生成し、送信回路１７３，アンテナ経由で無線送信する。
【００４４】
次に、図６（ｂ）のデータ受信動作について説明する。なお、ここで受信動作を行う受信機は、送信機として動作する、図５に示す無線データ伝送装置１Ｂに接続される図示省略した受信機であり、図５に示す、メモリ内蔵のマイコン１６ｂと、ＲＦ回路１７ｂとを少なくとも含み、構成される。図６（ｂ）において、マイコン１６ｂは、内蔵するメモリに、受信する周波数と各センサ値との関係が記述された変換テーブルを割り当てて設定する（ステップＳ４１）。ここで設定される変換テーブルのデータ構造の一例が図７に示されている。図７によれば、変換テーブルは、各エントリが、受信周波数と、センサ識別と、センタデータの各データフィールドを有する。例えば、受信周波数が４１０［ＭＨｚ］の場合、センサ＃１（１１ｂ）を示し、センサ値は、１０ルクスを示す。また、受信周波数が４２０［ＭＨｚ］の場合、センサ＃２（１１ｂ）を示し、センサ値は、１℃を示す。
【００４５】
続いて、マイコン１６ｂは、データ受信を開始するが（ステップＳ４２）、ＲＦ回路１７ｂでは、アンテナ経由で受信した受信信号を周波数シンセサイザ回路１７４の局発信号と比較、復調し、マイコン１６ｂに解読するデータを引き渡す。続いて、マイコン１６ｂは、受信可能な周波数の探索（周波数サーチ）を行う（ステップＳ４３）。続いて、マイコン１６ｂは、受信した周波数に基づき、先に設定した変換テーブルから該当のセンサ値を取得して内蔵のメモリに記憶する動作を実行する（ステップＳ４４）。
【００４６】
なお、上記したデータ受信開始処理（ステップＳ４２）とデータ受信終了処理（ステップＳ４６）とで示されるループ（ステップＳ４３〜Ｓ４５）は、センサ＃１〜＃３（１１ｂ，１２ｂ，１３ｂ）の数だけ繰り返し実行される。
【００４７】
（変形例）
図８に変形例が示されている。図８に示すように、位相を０°〜２４０°ずらした信号源に対してセンサ＃１〜＃３（１１ｃ，１２ｃ，１３ｃ）の複数の位相器１９ａ，１９ｂ，１９ｃを設け、位相器１９ａ，１９ｂ，１９ｃのそれぞれにアンプ１８ａ，１８ｂ，１８ｃ経由でセンサデータを入力し、ミキサ２０で合成出力することにより、ＱＡＭ（Quadrature Amplitude Modulation）変調を行う高周波回路１７ｃを形成することも出来る。
【００４８】
（実施形態の効果）
以上説明のように本実施形態に係る無線データ伝送装置１によれば、電圧重畳部１４が複数の信号源が出力する電圧毎に異なる直流電圧を重畳して切り替え部１５へ出力し、切替え部１５が制御部１６により生成される制御信号に基づき順次切替え、高周波回路部１７で変調して無線送信する構成を採用することにより、複数の信号源＃１〜＃３（１１，１２，１３）が示すデータの伝送を、簡単な回路構成で、かつ容易に実現可能になる。
【００４９】
また、高周波回路部１７は、ＡＭ，ＦＭ変調だけでなく、位相をシフトした信号源のそれぞれに振幅変調回路を設け、振幅変調回路のそれぞれに信号源が出力するそれぞれの電圧を入力して無線送信することで位相が直交する複数の波を合成して搬送波とし、それぞれに振幅変調を施すＱＡＭ変調も可能であり、この場合、リアルタイム性を重視した無線データ伝送が可能になる。
【００５０】
なお、受信した電波を復調する受信回路（高周波回路部１７）を備え、制御部１６が、受信した電波の電界強度を測定し、あらかじめ定義された電界強度と信号源＃１〜＃３（１１，１２，１３）が出力する電圧との関係から信号源＃１〜＃３（１１，１２，１３）が示すデータを解読し、あるいは、受信可能な電波の周波数をサーチし、あらかじめ定義された周波数と信号源＃１〜＃３（１１，１２，１３）が出力する電圧との関係から信号源＃１〜＃３（１１，１２，１３）が示すデータを解読することができる。この場合、使用する変調方式により、信号源＃１〜＃３（１１，１２，１３）の出力電圧値と周波数、あるいは信号源＃１〜＃３（１１，１２，１３）の出力電圧値と受信電界強度との関係を予め定義していないとデータを解読できないため、送受信データの秘匿性が得られる。
【００５１】
なお、本実施形態に係る無線データ伝送装置１において、実施例１，２とも信号源＃１〜＃３（１１，１２，１３）として、センサのみ例示したが、センサに制限されることなく、電圧を出力する信号源の全てに応用が可能である。例えば、電源ラインから出力を得れば、電源ＯＮ／ＯＦＦの確認として利用が可能である。
【符号の説明】
【００５２】
１（１Ａ，１Ｂ）…無線データ伝送装置、１１，１２，１３…信号源（センサ）、１４（１４ａ〜１４ｆ）…電圧重畳部、１５（１５ａ，１５ｂ）…切替え部（多極スイッチ）、１６（１６ａ，１６ｂ）…制御部（マイコン）、１７（１７ａ，１７ｂ）…高周波回路部、１８…レギュレータ
【図１】
0006331827.tif 000002
【図２】
0006331827.tif 000003
【図３】
0006331827.tif 000004
【図４】
0006331827.tif 000005
【図５】
0006331827.tif 000006
【図６】
0006331827.tif 000007
【図７】
0006331827.tif 000008
【図８】
0006331827.tif 000009
【図９】
0006331827.tif 000010